(57)【特許請求の範囲】
【請求項１】
印字テープと剥離テープとを積層して成る印刷用テープにおける前記印字テープに印字する印字部と、前記印字部から送られてくる印刷用テープを切断する切断部とを備え、
前記切断部は、前記印刷用テープにおける前記印字テープ又は前記剥離テープのいずれか一方のみを切断可能な部分カット機構を、前記印刷用テープの表側と裏側の夫々に備えて構成されているテーププリンタの切断装置。
【請求項２】
前記切断部に送られてきた印刷用テープにおける前記印字テープが、該印刷用テープの表側と裏側とのいずれの側に存在しているかを判別可能な判別手段を備え、
前記切断部では前記印字テープのみが切断されるように、前記判別手段の判別情報に基づいて前記両部分カット機構のうちのいずれか一方を選択する選択手段を備えてある請求項１に記載のテーププリンタの切断装置。
【請求項３】
前記切断部を駆動するための単一の駆動源と、この駆動源の動力を前記両部分カット機構のうちのいずれか一方のみに伝達する状態と、他方のみに伝達する状態とに切換え可能な切換機構とを備え、前記選択手段で選択された部分カット機構が駆動されるように、前記切換機構を制御する制御手段を備えてある請求項２に記載のテーププリンタの切断装置。
【請求項４】
前記両部分カット機構の夫々を人力で駆動するように構成し、前記選択手段によって選択された部分カット機構が、前記両部分カット機構のうちのどちらであるかを表示する表示手段を備えてある請求項２に記載のテーププリンタの切断装置。
【請求項５】
前記切断部に送られてきた印刷用テープにおける前記印字テープが、該印刷用テープの表側と裏側とのいずれの側に存在しているかを判別可能な判別手段を備え、
前記切断部では前記剥離テープのみが切断されるように、前記判別手段の判別情報に基づいて前記両部分カット機構のうちのいずれか一方を選択する選択手段を備えてある請求項１に記載のテーププリンタの切断装置。
【請求項６】
前記切断部に送られてきた印刷用テープにおける前記印字テープが、該印刷用テープの表側と裏側とのいずれの側に存在しているかを判別可能な判別手段を備え、
前記切断部では前記剥離テープと前記印字テープとのいずれか一方のみが切断されるように選択する第一選択手段と、この第一選択手段の選択情報及び前記判別手段の判別情報に基づいて前記両部分カット機構のうちのいずれか一方を選択する第二選択手段を備えてある請求項１に記載のテーププリンタの切断装置。
【発明の詳細な説明】
【０００１】
【発明の属する技術分野】
本発明は、テーププリンタにて文字、図形等を印字した印字テープと剥離テープとを積層して成る印刷用テープ（積層テープ）の切断装置に係り、詳しくは、印字テープ又は剥離テープのみを切断する部分カット機構に関する。
【０００２】
【従来の技術】
一般的には「ハーフカット機構」と呼ばれている前記部分カット機構は、特開平６−２８６２４１号公報において知られており、剥離テープを切り残すと共に、印字テープのみを切断することによって、印字テープを剥離テープから要領良く円滑に剥がし易い利点を得ている。
【０００３】
【発明が解決しようとする課題】
しかしながら、テーププリンタによっては２種の印刷用テープ、すなわちラミネート型テープとレセプター型テープとの双方を使用できるものがあり、その場合には前述した部分カット機構が一方の種類の印刷用テープにしか使用できない不便さがあった。
【０００４】
ラミネート型テープは、印字された後の印字テープにおける印字面に両面テープ等の剥離テープを貼着処理して積層した構造であって、印刷用テープとしては印字面がテープ表面に出ない構造のものである（図９参照）。これに対してレセプター型テープは、印字テープと両面テープ等の剥離テープとが既に積層された状態における印字テープに印字するものであり、印字面がテープ表面にでるものである（図１０参照）。
【０００５】
従って、単一の印字部を備えながらも、切断部では印字テープが印刷用テープとしての表側に位置する場合と裏側に位置する場合とがあるため、従来のものでは、前述したように、ラミネート型かレセプター型かのいずれか一方のテープにしか部分カット機構が適用できないのであった。
【０００６】
そこで、本発明の目的は、使用するテープがラミネート型かレセプター型かを問わずに部分カット機構による利点が得られるようにする点にある。
【０００７】
【課題を解決するための手段】
上記目的を達成するために、本発明の請求項１に係るテーププリンタの切断装置は、印字テープと剥離テープとを積層して成る印刷用テープにおける印字テープに印字する印字部と、印字部から送られてくる印刷用テープを切断する切断部とを備え、切断部は、印刷用テープにおける印字テープ又は剥離テープのいずれか一方のみを切断可能な部分カット機構を、印刷用テープの表側と裏側の夫々に備えて構成されていることを特徴とする。
【０００８】
請求項１の構成によれば、印刷用テープにおける印字テープ又は剥離テープのいずれか一方のみを切断可能な部分カット機構を、印刷用テープの表側と裏側の夫々に備えて切断部を構成してあるので、印刷用テープに対して印字テープが表側に存在する場合は一方の部分カット機構を使用し、裏側に存在する場合は他方の部分カット機構を使用することにより、使用するテープがラミネート型でもレセプター型でも印字テープのみ切断することが可能である。
【０００９】
又、使用するテープがラミネート型かレセプター型かを問わずに剥離テープのみ切断するとか、ラミネート型テープの印字テープを、かつ、レセプター型テープの剥離テープを夫々切断する、或いはその逆でラミネート型テープの剥離テープを、かつ、レセプター型テープの印字テープを夫々切断するといった使い方も可能になる。
【００１０】
また、本発明の請求項２に係るテーププリンタの切断装置は、請求項１に係るものにおいて、切断部に送られてきた印刷用テープにおける印字テープが、該印刷用テープの表側と裏側とのいずれの側に存在しているかを判別可能な判別手段を備え、切断部では印字テープのみが切断されるように、判別手段の判別情報に基づいて両部分カット機構のうちのいずれか一方を選択する選択手段を備えてあることを特徴とする。
【００１１】
請求項２の構成によれば、印字テープが、印刷用テープの表側と裏側とのいずれの側に存在しているかを判別し、印字テープのみが切断されるようにいずれか一方の部分カット機構が選択されるようになるから、ラミネート型とレセプター型とのいずれのテープを使用しても、自動的に印字テープのみが切断される状態が現出されるようになる。つまり、使用するテープがラミネート型かレセプター型かを判断し、２種ある部分カット機構のうちのいずいれか一方のものを用いる状態にセットする、という操作を行うことが不要である。
【００１２】
また、本発明の請求項３に係るテーププリンタの切断装置は、請求項２に係るものにおいて、切断部を駆動するための単一の駆動源と、この駆動源の動力を両部分カット機構のうちのいずれか一方のみに伝達する状態と、他方のみに伝達する状態とに切換え可能な切換機構とを備え、選択手段で選択された部分カット機構が駆動されるように、前記切換機構を制御する制御手段を備えてあることを特徴とする。
【００１３】
請求項３の構成によれば、２種の部分カット機構を単一の駆動源で駆動できるので、各部分カット機構毎に駆動源を設けるに比べてスペースやコストの節減が可能になるとともに、切換機構を制御する制御手段により、使用するテープがラミネート型でもレセプター型であっても印字テープのみが切断される状態が自動的に現出されるようになる。
【００１４】
また、本発明の請求項４に係るテーププリンタの切断装置は、請求項２に係るものにおいて、両部分カット機構の夫々を人力で駆動するように構成し、選択手段によって選択された部分カット機構が、両部分カット機構のうちのどちらであるかを表示する表示手段を備えてあることを特徴とする。
【００１５】
請求項４の構成は、部分カット機構を人力駆動する場合のものであり、この人為操作の場合でも、選択手段によって選択された部分カット機構が、両部分カット機構のうちのどちらであるかが表示されるので、迷うことなくその表示された部分カット機構を人為操作するだけで良いものとなる。
【００１６】
また、本発明の請求項５に係るテーププリンタの切断装置は、請求項１に係るものにおいて、切断部に送られてきた印刷用テープにおける印字テープが、該印刷用テープの表側と裏側とのいずれの側に存在しているかを判別可能な判別手段を備え、切断部では剥離テープのみが切断されるように、判別手段の判別情報に基づいて両部分カット機構のうちのいずれか一方を選択する選択手段を備えてあることを特徴とする。
【００１７】
請求項５の構成によれば、剥離テープが、印刷用テープの表側と裏側とのいずれの側に存在しているかを判別し、剥離テープのみが切断されるようにいずれか一方の部分カット機構が選択されるようになるから、ラミネート型とレセプター型とのいずれのテープを使用しても、自動的に剥離テープのみが切断される状態が現出されるようになる。
【００１８】
また、本発明の請求項６に係るテーププリンタの切断装置は、請求項１に係るものにおいて、切断部に送られてきた印刷用テープにおける印字テープが、該印刷用テープの表側と裏側とのいずれの側に存在しているかを判別可能な判別手段を備え、切断部では剥離テープと印字テープとのいずれか一方のみが切断されるように選択する第一選択手段と、この第１選択手段の選択情報及び判別手段の判別情報に基づいて両部分カット機構のうちのいずれか一方を選択する第二選択手段を備えてあることを特徴とする。
【００１９】
請求項６の構成によれば、第一選択手段によって印字テープと剥離テープのうちのいずれを切断するのかを選択すれば、判別手段と第二選択手段との機能により、印刷用テープの表側と裏側との種類を判別して、その選択された印字テープ又は剥離テープのみが切断されるように一方の部分カット機構が選択されるようになる。つまり、使用する印刷用テープがラミネート型かレセプター型かに拘わらずに、印字テープか剥離テープかを選択すれば、その選択された印字テープ又は剥離テープのみが自動的に切断されるようになる。
【００２０】
【発明の実施の形態】
以下に、本発明の実施の形態を図面に基づいて説明する。
【００２１】
図１はテーププリンタ１と、印字するためのキャラクタデータを作成するためのデータ作成装置２等を示す斜視図であり、文字や記号の入力キー、ＣＲＴ５のディスプレイ部分のカーソルを上下左右方向に移動させるカーソル移動キー、各種操作用キー等を備えたキーボード３及び座標入力装置（マウス）４と、文字等を複数行分表示可能なＣＲＴ５とを、制御本体装置（コンピュータ）６に接続線を介して夫々接続してあり、又、テーププリンタ１も制御本体装置６に接続線を介して接続してある。
【００２２】
次に、図２を参照しながらテーププリンタ１内の印刷機構について説明すると、テーププリンタ１のケース１ａ内のカセット収納部フレーム１７には、テープ収納カセット７が着脱自在に装着されている。このテープ収納カセット７内には、ＰＥＴフィルム等の透明な表層テープ８が巻装されたテープスプール９と、インクリボン１０が巻装されたリボン供給スプール１１と、インクリボン１０を巻取る巻取りスプール１２と、表層テープ８と同一幅で両面に接着剤層を有する両面接着テープ１３が剥離テープ１４を外側にして巻装された基材供給スプール１５と、両面接着テープ１３と表層テープ８とを重ねて接合させる接合ローラ１６とが回転自在に設けてある。
【００２３】
カセット収納部フレーム１７から立設された印字部であるサーマルヘッド１８は、テープ収納カセット７の凹所１９に臨ませ、サーマルヘッド１８の箇所を表層テープ８とインクリボン１０とが重ねられた状態で通過し得る。カセット収納部フレーム１７から回動可能に立設されたローラホルダ２０に装着されたプラテンローラ２１がサーマルヘッド１８に向かって押圧され、ローラホルダ２０の先端側に装着された送りローラ２２には接合ローラ１６に向かって押圧される。
【００２４】
データ作成装置２によって作成された印字データに基づいて印字するときは、カセット収納部フレーム１７における駆動モータ２５を回転させて図示しないギヤ機構を介して巻取りスプール１２、送りローラ２２、接合ローラ１６を同期回転させる一方、サーマルヘッド１８における列状に並んだ発熱素子を選択的に通電駆動し、表層テープ８の裏面にインク２９のドット列を付着させて印字する。その後、表層テープ８の印字面に両面接着テープ１３が積層された印字済の印刷用テープ２４として切断部２３に送られる。
【００２５】
切断部２３は、印刷用テープ２４を完全に切断する全カット機構Ａと、後述の部分カット装置Ｂとで構成されている。全カット機構Ａは、固定刃２３ａと、この固定刃２３ａに対して回動によって遠近移動する可動刃２３ｂとで成る鋏構造のものであり、ユーザーがレバー（図示せず）を手で押して可動刃２３ｂを回動操作することによって印刷用テープ２４を切断することができる。
【００２６】
図３は印字済の印刷用テープ２４の拡大断面図であり、ＰＥＴ（ポリエチレンフタレート）フィルム等の透明な表層テープ８の裏面に文字の鏡像にてインク２９のドット列が付着され、その裏面側を両面接着テープ１３における基材テープ１３ａの一方の面の接着剤層１３ｂで接合し、その裏面側が他方の面の接着剤層１３ｃを介して紙製の剥離テープ（剥離紙）１４で覆われていることになり、このような構造の印刷用テープをラミネート型テープ（図９参照）と呼ぶ。
【００２７】
つまり、厚さＴ１を有した請求項で言う印字テープ２８とは、表層テープ８と剥離テープ（剥離紙）１４を除いた両面接着テープ１３との合体のことであり、両面接着テープ１３に既に一体化されている剥離紙が剥離テープ１４のことである（図４参照）。
【００２８】
次に、部分カット装置Ｂについて説明する。図２に示すように、部分カット装置Ｂは、ラミネート型の印刷用テープ２４における印字テープ２８のみを切断可能な第１部分カット機構Ｂ１と、レセプター型（後述）の印刷用テープ２４における印字テープ２８のみを切断可能な第２部分カット機構Ｂ２  とで構成されており、テーププリンタ１のケース１ａにおける排紙部２７と全カット機構Ａとの間に配置されている。
【００２９】
各部分カット機構Ｂ１，Ｂ２とは基本的に同構造であり、第１部分カット機構Ｂ１のもので説明すると、図５〜図７に示すように、カセット収納部フレーム１７等に固定した金属製の厚板状の受台３３と、この受台３３に対してカシメピン３４を中心に回動可能に枢支された支持部材３５と、この支持部材３５にスポット溶接３７等によって固定された切断刃３６と、支持部材３５を回動させる駆動手段３８とから構成されている。
【００３０】
受台３３には、剥離テープ１４の厚さＴ２により僅かに小さい寸法Ｈ２に相当し、かつ、剥離テープ１４（印刷用テープ２４）の幅寸法より広幅の段差３９を形成してある。従って、受台３３の先端側と、カシメピン３４の近傍との端面には、段差３９の底面に対してこの段差３９と同じ高さＨ２を有した一対の段部３３ａ，３３ｂが形成される。他方、図７に示すように、支持部材３５にはその先端側に、一方の段部３３ａの一部に当接する足部３５ａからカシメピン３４の近傍に向かっては、印刷用テープ２４全体の厚さＴ３（＝Ｔ１＋Ｔ２）よりも深く、かつ、印刷用テープ２４の幅寸法よりも広幅の段差４０を形成してある。
【００３１】
図７に示すように、支持部材３５に切断刃３６を位置合わせして固定するには、受台３３の先端側の段部３３ａに支持部材３５先端側の足部３５ａが接当するようにカシメピン３４を中心にして回動させて閉じる。この状態で切断刃３６の刃先の両端部が一対の段部３３ａ，３３ｂに接当する位置で、切断刃３６を支持部材３５にスポット溶接３７や接着剤（図示せず）等にて固定する。これにより、切断刃３６の刃先と受台３３における段差３９との隙間は確実に平行状となるとともに、その隙間の寸法は段差３９の高さＨ２に等しくなるから、他の治具を用いることなく切断刃３６を支持部味３５に固定することが至極簡単に行え、しかも取付精度も格段に向上するようになる。
【００３２】
図５に示すように、切断刃３６、つまりは支持部材３５をカシメピン３４を中心として回動させる駆動手段３８は、正逆回転可能な電動モータ４１の動力を、ギヤ列４２を介してクランク４３を図５の反時計回り方向に回動させるときに、クランク４３に突設されたピン４４が支持部材３５に穿設された長溝４５に沿って移動することにより、支持部材３５を反時計回り方向に回動させる構造である。この場合、支持部材３５の足部３５ａが受台３３の段部３３ａに接当した後は、ギヤ列４２に介装された図示しない滑りクラッチにより、電動モータ４１に過負荷が生じないように構成されている。
【００３３】
そして、少なくとも支持部材３５に足部３５ａと切断刃３６の刃先の一端部が受台３３の段部３３ａに接当するときには、印刷用テープ２４の部分カットが完了するが、このとき同時に切断刃３６の他端部が受台３３の他方の段部３３ｂに接当しても良い。又、電動モータ４１を逆回転させて開くときは、その最大開き角度で電動モータ４１を停止させるように、図示しないリミットスイッチが支持部材３５の適宜箇所に接当して所定の信号を出力する。
【００３４】
このように、固定側の受台３３に対して回動中心（カシメピン３４）回りに支持部材３５及び切断刃３６を回動させて閉じるとき、切断刃３６の刃先と段差３９との隙間は、カシメピン３４に近い側から順に狭くなる。従って、印刷用テープ２４を一方の縁から順に切断刃３６の刃先が当たり、所謂鋏で印刷用テープ２４を切断するような状態になり、切断刃３６の刃先がテープ幅方向全体に亘って一挙に当たって切断する、所謂押し切り型のものに比べて駆動力が少なくて済み、駆動手段３８のコンパクト化や電動モータ４１の小出力化が可能である。
【００３５】
尚、印刷用テープ２４のうち、剥離テープ１４側を切り残すように部分カットするには、剥離テープ１４側が受台３３の段差３９の底面側となるようにして位置させて部分カット作業を行えば良い〔図８（ｂ）参照〕。逆に、剥離テープ１４のみを切断するには、表層テープ８を受台３３の段差３９の底面側に位置させて部分カット作業を行えば良い。
【００３６】
次に、レセプター型の印刷用テープ３０を用いた場合の部分カットについて説明する。図１０に示すように、レセプターテープ３０とは、印字テープ３１とＰＥＴ製の剥離テープとが粘着剤層３０ａを介して積層一体化されたものであり、印字部１８によって印字された印字面が直接テープ表面に出るようになる。この場合には、印字テープ３１と剥離テープ３２との左右がラミネート型の場合の逆になるため、切断部２３において剥離テープ１４のみ切断する部分カットを行うには第２部分カット機構Ｂ２を用いる。
【００３７】
第２部分カット機構Ｂ２の構造は、前述した第１部分カット機構Ｂ１のものとは、テープの違いによる切断深さ、すなわち各段差３９，４０の寸法が異なる以外は基本的に同じであり、同じ機能を有する箇所には同じ符号を記すものとする。但し、切断部２３に送られてくるときの印字テープ３１の存在側が、ラミネート型における印字テープ１４と反対であるので、切断刃３６と受台３３の配置箇所が互いに逆となるように、第１及び第２部分カット機構Ｂ１，Ｂ２が対向配備されている。
【００３８】
そして、このテーププリンタ１では、切断部２３に送られてきた印刷用テープにおける印字テープが、印刷用テープの表側と裏側とのいずれの側に存在しているか、すなわちラミネート型テープ２４かレセプター型テープ３０かを判別可能な判別手段４６を備え、切断部２３でのハーフカット作動を、いずれのタイプのテープであっても、印字テープ２８又は３１のみが切断されるように、判別手段４６の判別情報に基づいて両部分カット機構Ｂ１，Ｂ２のうちのいずれか一方を選択する印字テープ側選択手段４７を備えてある。
【００３９】
判別手段４６は、テープ収納カセット７をプリンタケース１ａに装着することによって自動作動するように構成されている。すなわち、図１１に示すように、ケース１ａにおけるカセット収納部の側面に、押込んでＯＮに、かつ、押込みを解除してＯＦＦとなる常開型のスイッチ４８を４個並設してあり、テープ収納カセット７をセットしない状態では４個のスイッチ４８全部がＯＦＦである。
【００４０】
ラミネート型の印刷用テープ２４を備えたテープ収納カセット７Ａにおけるスイッチに対応する箇所に、両端のスイッチ４８における操作片４８ａに干渉しないための一対の逃げ孔４９，４９が形成されるとともに、レセプター型の印刷用テープ３０を備えたテープ収納カセット７Ｂにおけるスイッチに対応する箇所には、中央２個のスイッチ４８における操作片４８ａに干渉しないための一対の逃げ孔５０，５０が形成されている。
【００４１】
しかして、ラミネート用カセット７Ａを装着すれば両端の第１及び第４スイッチ４８，４８がＯＮに、かつ、第２及び第３スイッチ４８，４８がＯＦＦとなり、レセプター用カセット７Ｂを装着すれば両端の第１及び第４スイッチ４８，４８がＯＦＦに、かつ、第２及び第３スイッチ４８，４８がＯＮとなることから、４個のスイッチ４８のＯＮ−ＯＦＦパターンを予め記憶されたものと実際に現出されたものと比較することにより、印刷用テープがラミネート型テープ２４かレセプター型テープ３０かを判別する判別手段４６が構成される。
【００４２】
尚、スイッチ４８数は適宜に変更できる。又、切断部２３の始端部に、光センサ等によって印字テープ（又は剥離テープ）が印刷用テープとしての表側か裏側かのいずれにあるかを直接検出する手段を備えて判別手段４６としても良い。
【００４３】
つまり、図１２に示す部分カット装置Ｂ用の制御装置５１により、印字テープのみ切断する部分カットを行うには、単にユーザーが起動スイッチ５２を操作するだけで良く、そのときの使用テープがラミネート型であるときには第１部分カット機構Ｂ１が、又、レセプター型であるときに第２部分カット機構Ｂ２が自動的に作動するように制御される。
【００４４】
−第１別実施形態−
ユーザーが起動スイッチ５２を操作すると、そのときに使用しているテープの種類を問わずに剥離テープ１４又は３２のみ切断するよう制御される部分カット装置Ｂを構成しても良い。すなわち、図１３に示すように、前述した判別手段４６と、切断部２３では剥離テープ１４又は３２のみが切断されるように、判別手段４６の判別情報に基づいて両部分カット機構Ｂ１，Ｂ２のうちのいずれか一方を選択する剥離テープ側選択手段５３とを制御装置５１に備えるのである。
【００４５】
つまり、両部分カット機構Ｂ１，Ｂ２双方の受台３３における段差３９の高さを、印字テープ２８又は３１のみが切断される値に予め調節セットしておくことにより、第１部分カット機構Ｂ１でレセプター型テープ３０の印字テープ３１を切断可能であり、第２部分カット機構Ｂ２でラミネート型テープ２４の印字テープ２８を切断可能となる状態が現出される。
【００４６】
−第２別実施形態−
本実施形態における第１及び第２部分カット機構Ｂ１，Ｂ２を単一の電動モータ４１で駆動するようにした部分カット装置Ｂでも良い。図１４に示すように、支持部材３５駆動用のクランク４３及びクランク４３と一体回転する最終ギヤ４３ａを一対備え、ギヤ列４２における最終ギヤ４３ａを駆動する小径ギヤ４２ａを、その駆動軸４２ｂに対して一体回転しながら軸方向移動自在（スプライン嵌合、六角軸嵌合等）に嵌装するとともに、ソレノイドや電動シリンダ等の電動アクチュエータ５４ａによって小径ギヤ４２ａをシフトさせて、両最終ギヤ４３ａ，４３ａの一方に択一的に咬合させる切換機構５４を備える。第１部分カット機構Ｂ１  用のクランク４３と最終ギヤ４３ａを支持する筒軸２６ａを、第２部分カット機構Ｂ２用のクランク４３と最終ギヤ４３ａを支持する支軸２６に相対回転自在に嵌装してある。
【００４７】
図１５に示すように、印字テープ側選択手段４７で選択された部分カット機構Ｂ１又はＢ２が駆動されるように、判別手段４６と、切換機構５４を制御する制御手段５５が制御装置５１に備えてある。つまり、判別手段４６によって使用テープの種類が判別されると、印字テープ側選択手段４７で駆動する部分カット機構Ｂ１又はＢ２が選択され、その選択された部分カット機構Ｂ１又はＢ２と電動モータ４１とが連動するように切換機構５４を作動させるとともに、電動モータ４１の回転方向を判断して回転駆動するように制御すれば良い。
【００４８】
−第３別実施形態−
図１６に示すように、支持部材３５の先端に手指操作用のレバー部５６を形成して、両部分カット機構Ｂ１，Ｂ２  の夫々を人力で駆動するように構成し、使用するテープの種類によって両レバー部５６，５６のうちのいずれのレバー部を操作するのかを示すランプ５７ａ，５７ａで成る表示装置５７を備えた部分カット装置Ｂでも良い。
【００４９】
つまり、図１７に示すように、判別手段４６でラミネート型かレセプター型かを判別し、印字テープ２８又は３１のみが切断されるように、使用する部分カット機構Ｂ１  又はＢ２  をランプ表示するように機能する。従って、ユーザーはランプ表示された側のレバー部５６を操作することにより、テープの種類を確認しなくても間違うことなく印字テープ２８又は３１のみ人力切断することが可能である。勿論、印字テープ側選択手段４７に代えて剥離テープ側選択手段５３を用いるとともに、段差３９の高さ調節を行うことにより、剥離テープ１４又は３２のみ人力切断するべく表示手段５７が作動する状態に制御装置５１を構成することも可能である。
【００５０】
−第４別実施形態−
図１９に示すように、剥離テープ１４又は３２と印字テープ２８又は３１とのいずれか一方のみが切断されるように選択する第一選択手段５８と、この第１選択手段５８の選択情報及び判別手段４６の判別情報に基づいて両部分カット機構Ｂ１，Ｂ２  のうちのいずれか一方を選択する第二選択手段５９を制御装置５１に備えた部分カット装置Ｂでも良い。
【００５１】
つまり、予めユーザーが選択スイッチ６０を操作して、印字テープと剥離テープとのうちのどちらを部分カットするのかを選択してから起動スイッチ５２を操作すれば、使用する印刷テープがラミネート型かレセプター型かを問わずに、選択された側のテープ（剥離テープ又は印字テープ）のみが自動的に切断されるように制御装置５１が機能するものである。
【００５２】
そのため、図１８に示すように、受台３３における段差３９の高さを、印字テープ２８又は３１のみ切断に適した高さと剥離テープ１４又は３２のみ切断に適した高さとの２位置に調節できるよう、電動アクチュエータ６１によってテープ受け部３３Ｂを受台本体３３Ａに対してスライド移動及び維持可能な段差調節装置６２を備える。この段差調節装置６２は、判別手段４６及び選択スイッチ６０の双方の検出情報から、部分カット機構Ｂ１又はＢ２のうちの一方を選択してその受台３３の段差高さを自動調節するようになる。
【００５３】
この第４別実施形態による部分カット制御装置を用いれば、使用する印刷用テープの種類を問わずに、印字テープと剥離テープとの部分カットが自由自在に行える極めて便利なものになる。
【００５４】
【発明の効果】
請求項１〜４、及び請求項６のいずれに記載のテーププリンタでも、部分カット機構を２種備えることにより、使用するテープがラミネート型かレセプター型かを問わずに印字テープのみが切断される状態を現出することができ、テープの汎用性に優れてより一層便利に使用できる切断装置を提供できる。
【００５５】
請求項１に記載の切断装置では、印字テープのみ又は剥離テープのみが切断されるように部分カット機構を作動させることが可能であり、より使い勝手を向上させることが可能である。
【００５６】
請求項２又は３に記載の切断装置では、使用する印刷用テープの種類に拘わらずに、特別な操作無く自動的に印字テープのみが切断される状態が現出される利点があり、請求項３に記載の切断装置では、複数の部分カット機構を単一の駆動源で駆動できて、コスト面や装置のコンパクト化においても有利である。
【００５７】
請求項４に記載の切断装置では、人力で部分カット機構を作動させる場合であっても、表示装置の機能によって使用する印刷用テープの種類に拘わらずに、特別な操作無く印字テープのみが切断される状態を現出できる。
【００５８】
請求項５に記載のテーププリンタでは、使用するテープがラミネート型かレセプター型かを問わずに剥離テープのみが切断される状態を現出することができ、テープの汎用性に優れてより一層便利に使用できる切断装置を提供できる。
【００５９】
請求項６に記載の切断装置では、使用するテープの種類に係わらずに、印字テープ又は剥離テープを選択すればその選択された印字テープ又は剥離テープのみを切断できる。
【図面の簡単な説明】
【図１】図１は、テーププリンタ及びデータ作成装置を示す図である。
【図２】図２は、カセット収納部の平面図である。
【図３】図３（ａ）はラミネート型印刷用テープの拡大断面図であり、図３（ｂ）はレセプター型印刷用テープの拡大断面図である。
【図４】図４は、印刷用テープの部分断面図を示す斜視図である。
【図５】図５は、部分カット機構の正面図である。
【図６】図６は、切断刃を開いた状態の部分カット機構を示す正面図である。
【図７】図７は、切断刃の支持部材への固定状態を示す正面図である。
【図８】図８（ａ）は図６の部分カット機構の要部断面図であり、（ｂ）は図７の部分カット機構の要部断面図である。
【図９】図９は、ラミネート型印刷用テープの構成を示す平面図である。
【図１０】図１０は、レセプター型印刷用テープの構成を示す平面図である。
【図１１】図１１は、判別手段の原理構造を示す概略図である。
【図１２】図１２は、部分カット装置の制御部を示すブロック図である。
【図１３】図１３は、第１別実施形態による部分カット装置の制御部を示すブロック図である。
【図１４】図１４は、第２別実施形態による部分カット装置の要部の駆動構造を示す図である。
【図１５】図１５は、第２別実施形態による部分カット装置の制御部を示すブロック図である。
【図１６】図１６は、第３別実施形態による部分カット装置の人力操作構造を示す図である。
【図１７】図１７は、第３別実施形態による部分カット装置の制御部を示すブロック図である。
【図１８】図１８は、第４別実施形態による段差調節装置の原理構造を示す図である。
【図１９】図１９は、第４別実施形態による部分カット装置の制御部を示すブロック図である。
【符号の説明】
１４，３２  剥離テープ
２８，３１  印字テープ
２４，３０  印刷用テープ
２３  切断部
４１  駆動源
４６  判別手段
４７，５３  選択手段
５４  切換機構
５７  表示手段
５８  第一選択手段
５９  第二選択手段
Ｂ１  第１部分カット機構
Ｂ２  第２部分カット機構
【図１】
0003783394.tif 000002
【図２】
0003783394.tif 000003
【図３】
0003783394.tif 000004
【図４】
0003783394.tif 000005
【図５】
0003783394.tif 000006
【図６】
0003783394.tif 000007
【図７】
0003783394.tif 000008
【図８】
0003783394.tif 000009
【図９】
0003783394.tif 000010
【図１０】
0003783394.tif 000011
【図１１】
0003783394.tif 000012
【図１２】
0003783394.tif 000013
【図１３】
0003783394.tif 000014
【図１４】
0003783394.tif 000015
【図１５】
0003783394.tif 000016
【図１６】
0003783394.tif 000017
【図１７】
0003783394.tif 000018
【図１８】
0003783394.tif 000019
【図１９】
0003783394.tif 000020